(57)【特許請求の範囲】
【請求項１】
照射装置が、計画された治療計画に従って、放射線治療システムにより制御される上記照射装置から治療領域へのイオン化放射線の１つもしくはそれ以上の放射線ビームを送信するステップと、
イメージング装置が、上記１つもしくはそれ以上の放射線ビームを送信しながら、上記放射線治療システムにより制御されて上記治療領域の複数のリアルタイム画像を取得するステップと、
上記照射装置が、上記１つもしくはそれ以上の放射線ビームの送信の間、リアルタイム治療データを取得するステップとを含み、
上記リアルタイム治療データは、上記１つもしくはそれ以上の放射線ビームの照射状態と、上記１つもしくはそれ以上の放射線ビームの位置と、上記１つもしくはそれ以上の放射線ビームの形状との１つもしくはそれ以上を含み、
プロセッサが、イメージング処理技術を用いて、上記複数のリアルタイム画像における関連した人体構造の１つもしくはそれ以上のリアルタイム輪郭を決定するステップと、
表示部が、上記複数のリアルタイム画像のビデオを備えるビデオグラフィック表示を供給するステップとを含み、
上記ビデオは、１つもしくはそれ以上のリアルタイム輪郭と、上記リアルタイム治療データの表現とを含む方法。
【請求項２】
上記イメージング装置は磁気共鳴イメージングシステムである請求項１記載の方法。
【請求項３】
上記イメージング処理技術は、デフォーマブルイメージレジストレーションである請求項２記載の方法。
【請求項４】
上記ビデオグラフィック表示における上記リアルタイム治療データの上記表現は、上記１つもしくはそれ以上の放射線ビームがオン状態にあるときの上記１つもしくはそれ以上の放射線ビームに対するビームのグラフィック表現、累積された放射線堆積量の指標、及び累積されて堆積された放射線量の文字指標の１つもしくはそれ以上を含む請求項１記載の方法。
【請求項５】
初期画像及び上記複数のリアルタイム画像は、磁気共鳴イメージングシステム、ポジトロン放出断層撮影スキャナ、コンピュータ断層撮影スキャナ、及びＸ線機器の１つもしくはそれ以上から取得される請求項１記載の方法。
【請求項６】
上記イメージング処理技術は、デフォーマブルイメージレジストレーションである請求項５記載の方法。
【請求項７】
上記リアルタイム治療データはさらに、手術器具位置情報及び外科手術切開位置情報の少なくとも１つを含む請求項１記載の方法。
【請求項８】
上記リアルタイム治療データはさらに、器具のグラフィック表現と、上記リアルタイム画像において捕捉される医療専門家の一部との少なくとも１つを含む請求項１記載の方法。
【請求項９】
上記ビデオグラフィック表示は、遠隔装置上に供給される請求項１記載の方法。
【請求項１０】
上記ビデオグラフィック表示は、３次元である請求項１記載の方法。
【請求項１１】
計画された治療計画に従って、照射装置から治療領域へイオン化放射線の１つもしくはそれ以上の放射線ビームを送信するように構成される照射装置を備えたシステムであって、
上記照射装置はさらに、上記１つもしくはそれ以上の放射線ビームの上記送信の間にリアルタイム治療データを取得するように構成され、
上記リアルタイム治療データは、上記１つもしくはそれ以上の放射線ビームの照射状態と、上記１つもしくはそれ以上の放射線ビームの位置と、上記１つもしくはそれ以上の放射線ビームの形状とを含み、
上記システムは、
上記１つもしくはそれ以上の放射線ビームの上記送信の間に上記治療領域の複数のリアルタイム画像を取得するように構成されるイメージング装置と、
イメージング処理技術を用いて、上記複数のリアルタイム画像における関連した人体構造の１つもしくはそれ以上のリアルタイム輪郭を決定し、上記複数のリアルタイム画像のビデオを備えるビデオグラフィック表示を表示部に出力するように構成されるプロセッサとを備え、
上記ビデオは、上記１つもしくはそれ以上のリアルタイム輪郭と、上記リアルタイム治療データの表現とを含むシステム。
【請求項１２】
上記イメージング装置は、磁気共鳴イメージングシステムである請求項１１記載のシステム。
【請求項１３】
上記イメージング処理技術は、デフォーマブルイメージレジストレーションである請求項１２記載のシステム。
【請求項１４】
上記ビデオグラフィック表示における上記リアルタイム治療データの上記表現は、上記１つもしくはそれ以上の放射線ビームがオン状態にあるときの上記１つもしくはそれ以上の放射線ビームに対するビームのグラフィック表現、累積された放射線堆積量の指標、及び累積されて堆積された放射線量の文字指標の１つもしくはそれ以上を含む請求項１１記載のシステム。
【請求項１５】
初期画像及び上記複数のリアルタイム画像は、磁気共鳴イメージングシステム、ポジトロン放出断層撮影スキャナ、コンピュータ断層撮影スキャナ、及びＸ線機器の１つもしくはそれ以上から取得される請求項１１記載のシステム。
【請求項１６】
上記治療領域の画像の一部を取得するように構成される第２のイメージング装置をさらに備える請求項１５記載のシステム。
【請求項１７】
上記リアルタイム治療データはさらに、手術器具位置情報及び外科手術切開位置情報の少なくとも１つを含む請求項１１記載のシステム。
【請求項１８】
上記リアルタイム治療データはさらに、上記リアルタイム画像において捕捉される器具と、上記リアルタイム画像において捕捉される医療専門家の一部との少なくとも１つのグラフィック表現を含む請求項１１記載のシステム。
【請求項１９】
上記ビデオグラフィック表示は、遠隔装置上に供給される請求項１１記載のシステム。
【請求項２０】
上記ビデオグラフィック表示は、ウェブインターフェースを介してソーシャルメディアサイトに供給される請求項１１記載のシステム。
【請求項２１】
上記ビデオグラフィック表示は、３次元である請求項１１記載のシステム。
【発明の詳細な説明】
【技術分野】
【０００１】
本開示は、イメージング装置（画像化装置）と一緒に治療装置により実行されるリアルタイム医療治療のビデオグラフィック表現の生成のためのシステム及び方法に関する。
【０００２】
関連出願の相互参照
この出願は、２０１２年５月２日付出願の発明の名称“リアルタイム医療治療のビデオグラフィック表示”を有する米国特許出願第１３／４６２，７５０号の利益を主張し、そのすべての開示が参照によりここに組み込まれる。
【背景技術】
【０００３】
例えば手術もしくは放射線治療などの特定の医療治療の間、治療される人体の部分の動きは治療の有効性を減少させ、さらに有害な結果を生じさせる可能性がある。例えば、放射線治療の間の腫瘍の動きは、放射線ビームがその腫瘍を外して健康な組織を攻撃する原因となる可能性がある。
【発明の概要】
【発明が解決しようとする課題】
【０００４】
従って、治療精度の便利な評価が可能となるように、医療治療の視覚的な確認もしくは文書化を提供することが有利となるであろう。
【課題を解決するための手段】
【０００５】
イメージング装置と一緒に動作する治療装置によるリアルタイム治療のビデオグラフィック表示の生成が説明される。治療領域の初期画像が取得される。初期画像における、関連した人体構造の１つもしくはそれ以上の輪郭が供給されもしくは計算される。治療領域のリアルタイム画像データ及びリアルタイム治療データが医療治療の間に取得される。複数のリアルタイム画像における関連した人体構造の１つもしくはそれ以上のリアルタイム輪郭が決定され、ビデオグラフィック表示が生成される。ビデオグラフィック表示はリアルタイム輪郭及びリアルタイム治療データの表現に対応するリアルタイム画像を含むことができる。関連した装置、システム及び技術がまた説明される。
【０００６】
一態様では、治療領域のリアルタイム画像が医療治療の間に取得される。複数のリアルタイム画像における関連した人体構造の１つもしくはそれ以上のリアルタイム輪郭が決定される。複数のリアルタイム画像のビデオグラフィック表示が供給される。ビデオグラフィック表示は、対応するリアルタイム輪郭及びリアルタイム治療データの表現を含むことができる。
【０００７】
リアルタイム画像は、磁気共鳴イメージングシステムから取得され、デフォーマブルイメージレジストレーションを使用して決定される。一実施例では、医療治療は放射線治療とすることができ、リアルタイム治療データは、放射線治療装置の１つもしくはそれ以上の放射線ビームの照射状態、１つもしくはそれ以上の放射線ビームの位置、１つもしくはそれ以上の放射線ビームの形状、１つもしくはそれ以上の放射線ビームと関連する放射線の強度、及び送信された放射線量の１つもしくはそれ以上を含むことができる。ビデオグラフィック表示におけるリアルタイム治療データの表現は、１つもしくはそれ以上の放射線ビームがオン状態にあるときの１つもしくはそれ以上の放射線ビームに対するビームのグラフィック表現、累積された放射線堆積量の指標、及び累積されて堆積された放射線量の文字指標の１つもしくはそれ以上を含むことができる。
【０００８】
初期画像及びリアルタイム画像は、磁気共鳴イメージングシステム、ポジトロン放出断層撮影スキャナ、コンピュータ断層撮影スキャナ、及びＸ線機器の１つもしくはそれ以上から取得される。リアルタイム輪郭は、デフォーマブルイメージレジストレーションを用いて決定される。
【０００９】
リアルタイム治療データは、手術器具位置情報、手術切開位置情報、並びにリアルタイム画像で捕捉される器具及び医療専門家の一部のグラフィック表現のうちの少なくとも１つを含むことができる。ビデオグラフィック表示は遠隔装置上に供給され、３次元とすることができる。
【００１０】
もう１つの態様では、システムは、イメージング装置、治療装置、表示部、及びプロセッサを備えることができる。イメージング装置は、医療治療の間に治療領域のリアルタイム画像を取得するように構成される。治療装置は、医療治療の間にリアルタイム治療データを取得するように構成される。プロセッサは、複数のリアルタイム画像における関連した人体構造のリアルタイム輪郭を決定し、複数のリアルタイム画像のビデオグラフィック表示を表示部に出力するように構成される。ビデオグラフィック表示は、対応するリアルタイム輪郭及びリアルタイム治療データの表現を含むことができる。
【００１１】
イメージング装置は磁気共鳴イメージングシステムとすることができ、プロセッサはデフォーマブルイメージレジストレーションを用いてリアルタイム輪郭を決定できる。治療装置は、１つもしくはそれ以上の放射線ビームを有する放射線治療装置とすることができ、リアルタイム治療データは、１つもしくはそれ以上の放射線ビームの照射状態、１つもしくはそれ以上の放射線ビームの位置、１つもしくはそれ以上の放射線ビームの形状、１つもしくはそれ以上の放射線ビームと関連する放射線の強度、及び送信された放射線量の１つもしくはそれ以上を含むことができる。ビデオグラフィック表示におけるリアルタイム治療データの表現は、１つもしくはそれ以上の放射線ビームがオン状態にあるときの１つもしくはそれ以上の放射線ビームに対するビームのグラフィック表現、累積された放射線堆積量の指標、及び累積されて堆積された放射線量の文字指標の１つもしくはそれ以上を含むことができる。
【００１２】
イメージング装置は、磁気共鳴イメージングシステム、ポジトロン放出断層撮影スキャナ、コンピュータ断層撮影スキャナ、及びＸ線機器の１つもしくはそれ以上から選択される。システムはさらに、治療領域の画像の一部を取得するように構成される第２のイメージング装置を備えることができる。
【００１３】
プロセッサはデフォーマブルイメージレジストレーションを用いてリアルタイム輪郭を決定できる。リアルタイム治療データは、手術器具位置情報、手術切開位置情報、及びリアルタイム画像で捕捉される器具と医療専門家の一部とのうちの少なくとも１つのグラフィック表現のうちの少なくとも１つを含むことができる。その表示は遠隔装置上に表示させることができ、３次元とすることができる。ビデオグラフィック表示は、ウェブインターフェースを介してソーシャルメディアサイトに供給することができる。
【００１４】
本開示のこれらの及び他の複数の特徴、複数の態様、及び複数の利点は、以下の説明及び特許請求の範囲を参照してより理解されるであろう。
【００１５】
本開示の複数の特徴、複数の態様、及び複数の実施態様が、添付した複数の図面とともに説明される。
【図面の簡単な説明】
【００１６】
【図１】現在の主題の実施例と一致するシステムの態様を例示する簡易図である。
【図２】例示的なイメージング装置と一緒に動作する治療装置の例を図示する。
【図３】例示的なイメージング装置と一緒に動作するもう１つの例示的な治療装置を図示する。
【図４】イメージング装置と一緒に動作する治療装置のさらにもう１つの例を図示する。
【図５】現在の主題の実施例と一致する方法の態様を例示する簡易図である。
【図６】現在の主題の実施例と一致するビデオグラフィック表示を図示する。
【発明を実施するための形態】
【００１７】
ここで説明される主題は多くの利点を提供し、それらのいくつかが以下で説明される。リアルタイム医療治療のビデオグラフィック表示の生成は、治療の視覚的な文書化が医者、患者、家族の一員、介護者などに共有されることを可能とする。観察者は、ビデオグラフィック表示を介して、治療された人体の部分と、（例えば、ロボット外科手術用メスによる切開や放射線治療装置による放射線などの）それらの人体部分に対して影響を与えて患者を治療する治療装置の動作とを見ることができるであろう。従って、ビデオグラフィック表示は、患者が適切に治療されたかどうかの証拠を提供することができ、それにより患者及び他の観察者に対して情報及び潜在的な心理的な満足を提供することができる。ビデオグラフィック表示はまた教育するために使用することができ、さらに付加的な治療もしくは医療ケアを必要とするか否かを評価するために使用することができる。治療においてそれらの役割が記録されかつ患者及び他の個人に共有されるので、治療のそのようなリアルタイムビデオグラフィック表示はまた、複数の臨床医間の効率性を確実なものとできる。
【００１８】
図１は、現在の主題の実施例と一致するシステム１００の態様を例示する簡易図である。システム１００は少なくとも、治療装置１０２と、イメージング装置１０４と、プロセッサ１０６と、表示部１０８とを含むことができる。治療装置１０２は、放射線治療装置、１つもしくはそれ以上のロボット外科手術用アーム、１つもしくはそれ以上の外科手術用メス、もしくは例えば高密度焦点式超音波（ＨＩＦＵ）アブレーション（焼灼）装置、凍結アブレーション装置、レーザアブレーション装置、ＲＦアブレーション装置、及び例えば近接照射療法、ステント、塞栓症装置、血管移植片、カテーテル、これらに限定されないがスクリューやプレートなどを含む整形外科用装置などの治療を実現させるための他の装置などの任意の他の適切な治療装置とすることができる。イメージング装置１０４は、磁気共鳴イメージング（ＭＲＩ）システム、ポジトロン放出断層撮影（ＰＥＴ）スキャナ、コンピュータ断層撮影（ＣＴ）スキャナ、Ｘ線機器、または他のイメージング装置もしくはイメージング装置の組み合わせとすることができる。プロセッサ１０６は、少なくとも１つのマイクロプロセッサと、複数の命令を格納できる機械可読媒体とを含むコンピュータを含むことができ、またはプロセッサは、本開示のシステム及び方法を実装するように構成される任意の他のコンピュータ構成要素を備えてもよい。表示部１０８は、例えばデスクトップコンピュータ、ラップトップ、タブレットコンピュータ、携帯電話、テレビ、ホログラフィックジェネレータもしくは任意の他の表示媒体などの端末装置を含むことができる。いくつかの実施例では、端末装置は、治療装置１０２とイメージング装置１０４とから遠く離れた遠隔装置とすることができる。各矢印１１０、１１２及び１１４は、例えばセルラーネットワーク、インターネット、ローカルエリアネットワーク、もしくはワイドエリアネットワークなどの有線接続もしくは無線接続のいずれかを別々に特徴付けることができ、各接続は複数の接続を含んでもよく例えばサーバ、クラウドコンピューティング装置などの付加的な素子を通過して当該付加的な素子と相互作用してもよい。リアルタイム治療データは、接続１１０を介して治療装置１０２からプロセッサ１０６に送信され、リアルタイム画像データは、接続１１２を介してイメージング装置１０４からプロセッサ１０６に送信される。ビデオグラフィック表示を生成するために必要とされる情報は、接続１１４をわたってプロセッサ１０６から表示部１０８に伝達される。
【００１９】
図２は、本開示で説明されるイメージング装置１０４と一緒に動作する治療装置１０２の例を図示する。この例での治療装置１０２は、回転可能な構台２１６上に装着される放射線治療装置２０６である。この例でのイメージング装置１０４は、磁気共鳴イメージング（ＭＲＩ）システム２０８である。放射線治療装置２０６は、例えば放射線を患者２１２の所定の人体構造に送信させるように制御されるコバルト６０のソースもしくは線形アクセラレータなどの１つもしくはそれ以上のビームソースを含むことができる。放射線治療装置２０６はさらに、患者２１２に送信される放射線ビームを形成するための１つもしくはそれ以上のマルチリーフコリメータを含むことができる。従って、１つもしくは複数の放射線ビームがオン及びオフされてもよく、構台１１６に対して回転され、マルチリーフコリメータもしくは他の装置により変更されるそれらの形状及び強度を有することができる。
【００２０】
図３は、本開示で説明されるイメージング装置１０４と一緒に動作する治療装置１０２の付加的な例を図示する。この例での治療装置１０２はロボット外科手術用装置３０６である。この例でのイメージング装置１０４は磁気共鳴イメージング（ＭＲＩ）システム３０８である。ロボット外科手術用装置３０６は、患者３１０上で動作するように患者３１０の人体に対して移動するように制御される。
【００２１】
図４は、本開示で説明されるイメージング装置１０４と一緒に動作する治療装置１０２の付加的な例を図示する。この例での治療装置１０２は外科手術用メス４０６である。この例でのイメージング装置１０４は磁気共鳴イメージング（ＭＲＩ）システム４１２である。外科手術用メス４０６は、患者４１０の人体の一部に対して臨床医４０８により使用されて外科手術を実行するように構成される。
【００２２】
図５は、本開示の方法を実装するように使用されてもよい例示的な処理５００の態様を例示する簡易図である。例えば、５０２において、治療領域の初期画像がイメージング装置１０４から取得されてもよい。次に、５０４において、関連した人体構造の１つもしくはそれ以上の輪郭が初期画像において供給されるかもしくは計算されてもよい。例として、複数の輪郭は治療されるべき腫瘍の境界を含んでもよく、その治療において回避される必要がある近隣の人体構造の境界をまた含んでもよい。これらの輪郭は臨床医により手動で展開されてもよい。代わりの実施例では、その輪郭は自動化されたコンピュータプログラムを用いて展開される。
【００２３】
医療治療が開始した後、５０６において、イメージング装置１０４を用いて、治療領域からリアルタイム画像データが取得される。さらに、５０８において、リアルタイム治療データが治療装置１０２から取得される。
【００２４】
（治療装置１０２が放射線治療装置２０６である）図２で図示される実施例に対するリアルタイム治療データは、１つもしくはそれ以上の放射線ビームの照射状態、１つもしくは複数のビームの角位置、１つもしくは複数のビームの形状、１つもしくは複数のビームに関連する放射線の強度、及び送信された放射線量などの１つもしくはそれ以上を含んでもよい。そのような治療データは、例えば放射線ソースに関連するセンサ、回転可能構台、１つもしくは複数のマルチリーフコリメータ上のリーフ、及び放射線治療装置の制御システムなどを介して取得される。治療データはまた、イメージング装置１０２自身から収集されてもよい。他のデータはまた、当業者により理解されるであろうように収集されてもよい。
【００２５】
（治療装置１０２がロボット外科手術用装置３０６である）図３で図示される実施例に対するリアルタイム治療データは、ロボット外科手術用装置３０６の位置及び軌道、患者３１０の人体への切開の（例えば、デカルト座標、球面座標、もしくは円筒座標などの）座標、ロボット外科手術装置３０６の手術器具の形状、手術に従事する１人もしくはそれ以上の臨床医の音声及び／もしくは視覚の記録などの１つもしくはそれ以上を含んでもよい。そのような治療データは、例えば、その軌道、位置もしくは形状における変化を記録するためのロボット外科手術用装置３０６と関連するセンサまたはロボット外科手術用装置３０６と一緒に使用されるグラフィックもしくはビデオグラフィックカメラまたは他のイメージングモダリティを介して取得される。治療データはまた、イメージング装置１０２から収集されてもよい。他のデータはまた、当業者により理解されるであろうように収集されてもよい。
【００２６】
（治療装置１０２が外科手術用メス４０６である）図４で図示される実施例に対するリアルタイム治療データは、ロボット外科手術用装置４０６の位置及び軌道、患者４１６の人体への切開の（例えば、デカルト座標、球面座標、もしくは円筒座標などの）座標、外科手術に従事する１人もしくはそれ以上の臨床医の音声及び／もしくは視覚的な記録などの１つもしくはそれ以上を含んでもよい。そのような治療データは、例えば、その軌道もしくは位置を記録するための外科手術用メス４０６に関連するセンサ、外科手術用メス４０６と一緒に使用されるグラフィックもしくはビデオグラフィックカメラ、または他のイメージングモダリティを介して取得される。治療データはまた、イメージング装置１０２から収集されてもよい。他のデータはまた、当業者により理解されるであろうように収集されてもよい。
【００２７】
図５での５１０において、リアルタイム画像における関連した人体構造のリアルタイム輪郭が決定されてもよい。リアルタイム輪郭は、デフォーマブルイメージレジストレーション並びに５０２及び５０４で取得される初期画像及び輪郭のみならずリアルタイム画像及び輪郭を用いて決定される。輪郭はまた、例えばエッジ検出、パターン認識などの他の画像処理技術を単独でもしくはこれらの技術を組み合わせて用いて展開されてもよい。
【００２８】
複数のリアルタイム画像のビデオグラフィック表示は、図５における５１２で生成される。その表示は、複数のリアルタイム画像の対応するリアルタイム輪郭と、リアルタイム治療データの表現とを含むことができる。表示部１０８は、例えばデスクトップコンピュータ、ラップトップ、タブレットコンピュータ、携帯電話、テレビ、ホログラフィックジェネレータもしくは映像を表示できる任意の装置などの端末装置であってもよい。表示部１０８は、治療装置１０２及びイメージング装置１０４と一緒に設置されてもよいし、もしくはそれはその位置から遠く離れててもよい。上述したように、ビデオグラフィック表示は、例えばセルラーネットワーク、インターネット、ローカルエリアネットワーク、ワイドエリアネットワーク、メトロポリタンエリアネットワーク、ブルートゥースネットワーク、赤外線ネットワーク、ジグビー（ＺｉｇＢｅｅ）無線ネットワーク、ウィブリー（Ｗｉｂｒｅｅ）ネットワークなどの有線接続もしくは無線接続を利用してもよく、各接続は複数の接続を含んでもよく、例えばサーバ及びクラウドコンピューティング装置などの付加的な素子を通過して当該付加的な素子と相互作用してもよい。一実施例では、ビデオグラフィック表示は、例えば個人が種々の文書化された医療治療に対して掲載して共有してコメントできるソーシャルメディアサイトなどを置くためにウェブインターフェースを介して供給されてもよい。
【００２９】
一実施例では、ビデオグラフィックファイルが表示部１０８に送信されるように、治療データ及び画像データの構成要素はプロセッサ１０６において一緒に集約化される。代わりの実施例では、治療データ及び画像データの構成要素はプロセッサ１０６から表示部１０８に別々に送信され、表示部１０８において別々に受信された構成要素はビデオグラフィック表示を形成するために集約化される。その集約化は、ビデオグラフィック表示の観察者による選択に基づいて実行される。
【００３０】
一実施例では、取得された治療データは、それぞれのリアルタイム画像上に重ね合わされて一連の最後の画像を形成することができ、次にその一連の画像はビデオグラフィック表示を形成するために組み合わされる。この重ね合わせは、治療データ及び対応する画像データの、時間及び空間における相関を用いて実行される。
【００３１】
一連の最後の画像データの画像の（例えば所定の数などの）少なくとも一部は、ビデオグラフィック表示を形成するために組み合わされてもよい。所定の数は、例えば、（例えば、直接的な有線接続、セルラーネットワーク、インターネット、ローカルエリアネットワーク、ワイドエリアネットワーク、メトロポリタンエリアネットワーク、ブルートゥースネットワークなどの）利用される通信チャネルや通信チャネルの利用可能な帯域幅や（例えば、ラップトップ、デスクトップコンピュータ、タブレットコンピュータ、携帯電話、無線装置などの）表示タイプなどのファクタ及び他のファクタに基づいて変更することができる。１つの例では、表示部１０８が携帯電話であるときの所定の数は、表示部１０８が高処理能力のコンピュータであるときの所定の数よりも低くできる。いくつかの実施例では、所定の数は臨床医もしくは患者の個人的な好みに基づいて臨床医により決定される。
【００３２】
図６は、本開示の方法及び放射線治療装置の特定の治療装置を利用して生成されるビデオグラフィック表示６００の一例を図示する。多数の他のタイプの表示がここでの教示に基づいて生成されることが理解される。ビデオグラフィック表示６００は、患者の人体構造６０２のグラフィックもしくはビデオグラフィック表現を含むことができる。図６の例では、人体構造６０２は、肺、心臓、脊椎及び腹部を含む。人体構造６０２はまた、例えば、治療されるべき腫瘍６０３を含むことができる。
【００３３】
ビデオグラフィック表示６００は、２次元もしくは３次元であってもよい。一実施例では、ビデオグラフィック表示６００における多次元データがイメージング装置１０４及び治療装置１０２からプロセッサ１０６により取得されるデータの組み合わせとすることができる。患者の異なる方向に対する２次元画像データがイメージング装置１０４及び治療装置１０２からプロセッサ１０６により取得され、この２次元データが組み合わされて３次元データを形成することができる。その組み合わせは、例えば３次元再構築や三角形分割などの再構築アルゴリズムを用いて実行されてもよい。いくつかのそのような再構築アルゴリズムは、異なる２次元画像での画素を整合させることと、３次元空間をサンプリングすることと、（例えば分散、共分散などの統計技術に基づき、）（例えば、色、解剖学的テクスチャなどの）１つもしくはそれ以上の画像パラメータを相関させる一貫性関数を決定することと、各２次元データにおける各画素を３次元におけるベクトルにマッピングすることなどの少なくとも１つの技術を含むことができる。ビデオグラフィック表示６００が２次元以上を有するとき、異なる角度から治療を考えるために、ユーザにより押される例えば６０４などのボタンが提供される。代わりに、タッチスクリーン上でのスワイプが同一の機能を実行させてもよい。一実施例では、ユーザは例えば６０６及び６０８などのボタンを用いて多次元表示を拡大もしくは縮小させることができる。
【００３４】
異なる人体構造もしくは例えば治療のために目標とされる人体構造の領域などの他の領域を囲むリアルタイム輪郭は、ビデオグラフィック表示内に含まれてもよい。輪郭は異なる色で表示されてもよい。例えば、その表示は、腫瘍６０３の周りの輪郭６１０を含んでもよく、それは赤色で表示されてもよい一方で隣接する構造は青色の輪郭で囲まれてもよい。種々の構造はまた、必要に応じて内部シェーディング（陰影付け）を含んでもよく、それは部分的に半透明であってもよい。治療装置１０２が放射線治療である例では、表示は、（典型的には腫瘍６０３の外側からある距離まで延伸される）計画された治療ビームの位置を表す付加的な輪郭６１２を含んでもよい。
【００３５】
一実施例では、ビデオグラフィック表示６００は、（例えば、臨床医もしくは表示部１０８のユーザなどの）ユーザが見ることを要求してもよい輪郭を選択できるオプションを含むことができる。例えば、もしユーザが腫瘍に対する輪郭だけを見ることを要求するのであれば、ユーザはまさのその輪郭を選択することができる。
【００３６】
治療データは、ビデオグラフィック表示６００内に含まれてもよい。例えば、放射線治療装置を利用する図６の例において図示されるように、ビーム表現６１４が含まれる。（取得されるリアルタイム治療データにより決定される）治療の間に実際のビームの動作に対応して、ビーム表現はオン及びオフされてもよいし、映像が進展するにつれて形状、角度もしくは強度を変化させてもよい。リアルタイム画像データが静止して可視状態となるように、治療データは半透明とすることができる。ビームのこの表現は、計画された治療計画と一致してオン及びオフするビームを表現してもよく、それらは（患者の動きもしくは通常の臓器の動きの結果として発生に応じて）計画された治療ビームの位置を表す輪郭６１２を超えて移動する目標となる腫瘍６０３の結果としてオン及びオフすることを表現してもよい。放射ビーム治療データは、多くの他の方法で表現されてもよい。治療データのもう１つの例の表現は、累積された放射線堆積量の指標を含む。例えば、放射線量は治療の進行にわたって蓄積されるので、放射線量が堆積される領域はより暗い色に変わるようにしてもよい。
【００３７】
ビデオグラフィック表示６００はまた、例えば患者識別子（ＩＤ）、種々の輪郭の色、及び付加的な治療データなどの付加的なデータを表示するための情報表示６２２を含んでもよい。付加的な治療データの例は、全体の堆積された放射線量、治療時間、ビームオンタイムなどを含む。いくつかの実施例では、堆積された放射線量が治療の間に増加するので、その量はリアルタイムで変化させることができる。
【００３８】
他の治療データは、他の治療装置が使用されるとき、ビデオグラフィック表示６００内に含まれる。例えば、治療装置１０２がロボット外科手術用アーム３０６もしくは外科手術用メス４０６であるとき、メスもしくは外科手術装置の表現が描写される。代わりに、切開が行われている場所の表現が描写されるか、もしくは治療データの表現がイメージングデータ自身から簡単に目に見える状態となってもよい。表示はまた、治療を実行する医療専門家のすべてもしくは一部を描写するように構成されてもよい。多数の他のタイプの治療データもしくは治療データと他のデータとの組み合わせが描写される。いくつかの実施例では、ユーザにはオプションが提供されて一連の治療データのどれかを選択し、ユーザが見ることを要求しまた任意の他のデータもしくはイメージングデータでさえも描写させるかどうかを選択することを要求する。
【００３９】
２，３の実施例が詳細に上述されたが、他の変形例が可能である。例えば、図５で図示されかつここで説明された方法は、望ましい結果を得るためには、図示された特定の順番、もしくはシーケンシャルの順番は必要とされない。
【００４０】
開示された複数の原理に従った種々の複数の実施例が上述説明された一方で、それらは例示だけの方法により提示されたのであって、限定されないということが理解されるべきである。従って、１つのもしくは複数の発明の広さ及び範囲は、上述説明された例示的な複数の実施形態のいずれかにより限定されるべきでないが、この開示から公表する特許請求の範囲及びそれらの均等物に従ってだけに定義されるべきである。本開示において、ここでの実施例で開示される計算がここで教示された同一の概念を適用して多くの方法で実行されてもよく、そのような計算は開示される実施例と均等であるということが理解される。さらに、上述説明された複数の利点は、任意の発行された特許請求の範囲の、複数の利点のいずれかもしくはすべてを伴う複数のプロセス及び複数の構造に対する応用を制限することは意図されない。
【００４１】
さらに、セクションの冒頭説明は、この開示から公表されるかもしれないいくつかの複数の請求項において設定される１つのもしくは複数の発明を制限しないであろうし、特徴付けもしないであろう。特に、実施例の方法により、冒頭説明は「技術分野」と呼ぶのだけれど、かかる特許請求の範囲は、いわゆる技術分野を説明するためのこの冒頭説明のもとで選択された言語により制限されるべきでない。さらに、「背景技術」における技術説明は、技術がこの開示における任意の１つのもしくは複数の発明に対する従来技術であることの自白として解釈されるべきでない。「課題を解決するための手段」もまた、公表された特許請求の範囲において説明された１つのもしくは複数の発明の特徴として解釈されるべきでない。さらに、一般的にこの開示に対する任意の参照、もしくは単数における言語「発明」の使用は以下に説明された複数の請求項の範囲に関して任意の制限を意味することは意図されない。複数の発明は、この開示から公表する複数の請求項の複数の限定に従って説明されてもよく、従ってそれらにより保護される複数の請求項は、１つのもしくは複数の発明及びそれらの複数の均等物を定義する。
【図１】
0006441213.tif 000002
【図２】
0006441213.tif 000003
【図３】
0006441213.tif 000004
【図４】
0006441213.tif 000005
【図５】
0006441213.tif 000006
【図６】
0006441213.tif 000007